(57)【要約】      （修正有）【課題】回転ブラシ側に特別の取り付けプレートを必要とせず、多くの市販床清掃機に簡単に取り付け可能な床清掃機用の回転ブラシを提供する。【解決手段】回転ブラシ１は中央に孔を有する円盤状ブラシ基板２の片面全域に複数のブラシ毛３からなるブラシ毛束を植毛してブラシを形成し、反対面全域に面ファスナー４を接着取り付けして構成する。使用に際しては、床清掃機のモータの回転軸端に取り付けられて水平旋回するモータ側円盤状回転体の下面側に形成された針状突起物に回転ブラシの面ファスナーを係合させて取り付け、モータ側円盤状回転体の回転により回転駆動させる。【選択図】図３
0003210721.tif 000002
【実用新案登録請求の範囲】
【請求項１】
片面にブラシ毛を植毛した円盤状回転ブラシをモータにて水平旋回させて床面等を清掃、研磨する清掃機に使用する回転ブラシであって、
該回転ブラシは中央に孔を有する円盤状ブラシ基板の片面全域に複数のブラシ毛からなるブラシ毛束を植毛してブラシを形成し、反対面全域には面ファスナーを接着取り付けして構成されており、
使用に際しては、前記床清掃機のモータの回転軸端に取り付けられて水平旋回するモータ側円盤状回転体の下面側に形成された針状突起物に前記反対面の面ファスナーを係合させて取り付けることによりモータ側円盤状回転体の回転により回転駆動させられるように構成されていることを特徴とする回転ブラシ。
【請求項２】
請求項１に記載の回転ブラシにおいて、前記反対側面に取り付ける面ファスナーはループ状に起毛された面ファスナー、フックとループの両方が起毛された面ファスナーの何れかであることを特徴とする回転ブラシ。
【考案の詳細な説明】
【技術分野】
【０００１】
本考案は、床面の清掃、研磨のため床清掃機のモータ出力軸に取り付けて水平回転させる円盤状の回転ブラシに関する。
【背景技術】
【０００２】
片面にブラシ毛を植毛した円盤をモータにて水平旋回駆動し、ブラシ毛先端部にて床面を清掃、研磨する床清掃機、床研磨機が広く使用されている。図８はそうした床清掃機５０の外観図、図９は断面図である。床面に接触して清掃、研磨、洗浄等を行なうのはモータ５１の回転軸５２の先に取り付けられたモップ又はブラシ５３である。凸凹の小さい床面の清掃、研磨には面で接する不織布研磨材である円盤状パッドが使用され、床面に強く当たる必要のある研磨、洗浄にはナイロン製のブラシ毛を植毛した円盤状ブラシが使用される。
【０００３】
パッドの場合は軽いためモータ回転軸端に取り付けた円盤状パッド台に張り付けで簡単に取り付けできるが、円盤状ブラシはパッドに比べて重量があり床面からの反力も強いため簡単ではない。このため、例えば図１０に示す例のように円盤状ブラシ基板５５を用い、片面にブラシ毛５４を植毛し、反対面に取り付けプレート５６をビスで取り付け、その取り付けプレート５６をモータ回転軸端に取り付けたモータ側取り付け部品にビス又は嵌合で固定して床清掃機に取り付けている。
【０００４】
このような取り付け方式では、モータ側取り付け部品が特定構造になっているため、それにあった構造の取り付けプレートを採用した円盤状ブラシしか採用できない。このため、必然的に清掃機本体の製造会社が販売する円盤状ブラシを使用せざるを得ない。また、円盤状ブラシは取り付けプレートを必要とするため高価になる。ビス留めされた取り付けプレートは外してブラシ毛を植毛した新たな円盤状ブラシ基板に付け替える方法もあるが、取り外し、取り付けに手間がかかるといった問題がある。
【考案の開示】
【考案が解決しようとする課題】
【０００５】
本考案は、従来技術のこうした問題点を解決するためになされたもので、その課題は円盤状ブラシ側に特別の取り付けプレートを必要とせず、多くの市販床清掃機に簡単に取り付けできる床清掃機用の回転ブラシを提供することにある。
【課題を解決するための手段】
【０００６】
前記課題を解決するための請求項１に記載の考案は、片面にブラシ毛を植毛した円盤状回転ブラシをモータにて水平旋回させて床面等を清掃、研磨する清掃機に使用する回転ブラシであって、該回転ブラシは中央に孔を有する円盤状ブラシ基板の片面全域に複数のブラシ毛からなるブラシ毛束を植毛してブラシを形成し、反対面全域には面ファスナーを接着取り付けして構成されており、使用に際しては、床清掃機のモータの回転軸端に取り付けられて水平旋回するモータ側円盤状回転体の下面側に形成された針状突起物に前記反対面の面ファスナーを係合させて取り付けることによりモータ側円盤状回転体の回転により回転駆動させられるように構成されていることを特徴とする回転ブラシである。
【０００７】
このような構成の回転ブラシは、パッド台にパッドを張り付けて使用するタイプの殆どの市販清掃機のパッド台に取り付けて使用できる利点を有する。また、取り付けには特別の金属製取り付けプレートを必要としないため安価である上、取り付け、取り外しも簡単にできる利点を有する。
【０００８】
また、請求項２に記載の考案は、請求項１に記載の回転ブラシにおいて、前記反対側面に取り付ける面ファスナーはループ状に起毛された面ファスナー、フックとループの両方が起毛された面ファスナーの何れかであることを特徴とする回転ブラシである。
【０００９】
このような構成によれば、パッド台を取り付けて使用するタイプの殆どの市販清掃機のパッド台に簡単に取り付けできる利点を有する。
【図面の簡単な説明】
【００１０】
【図１】本考案に係る円盤状回転ブラシ１の下面側からみた外観斜視図である。
【図２】回転ブラシ１の平面図である。
【図３】回転ブラシ１を円盤中心を通る上面に垂直な面で切断した端面図である。
【図４】パッド台を取り付けて使用する市販床清掃機の断面図の例である。
【図５】市販パッド台のパッド取り付け面側の斜視図の例である。
【図６】市販パッド台の表面の部分拡大図である。
【図７】市販床清掃機に回転ブラシ１を取り付けた状態の断面図である。
【図８】市販床清掃機の外観の例である。
【図９】市販床清掃機の断面図の例である。
【図１０】市販の円盤状ブラシの外観例である。
【考案を実施するための形態】
【００１１】
以下、本考案に係る床清掃機用の回転ブラシの一実施形態について図面を参照して説明する。図１は本考案に係る円盤状回転ブラシ１の下面側からみた外観斜視図、図２は平面図、図３は回転ブラシ１を円盤中心を通る上面に垂直な面で切断した場合の端面図である。
【００１２】
回転ブラシ１は、これらの図に示すようにブラシ基板２、ブラシ毛３、面ファスナー４により構成されている。ブラシ基板２は中央に孔を有する円盤形状で、木材、合成樹脂等で形成されている。ブラシ基板２の下面側、即ち、使用状態で床面側となる下面側には面全域に渡り複数のブラシ毛３からなるブラシ毛束を植毛したブラシが形成されている。ブラシ毛にはナイロン、極細ステンレス等が使用されている。
【００１３】
ブラシ基板２の上面側、即ち、清掃機への取り付け面側には、全域に渡り面ファスナー４が接着取り付けしてある。清掃機に取り付けて使用される一般的な回転ブラシでは、前記図１０の例に示したように、その清掃機に特有の形状をした取り付けプレート５６がビスで取り付けられる。これに対して本実施形態の回転ブラシ１では、そうした特有の取り付けプレートを必要とせず、代わりに少し強度をもたせた一般的形状の面ファスナー４を使用している点に特徴がある。
【００１４】
面ファスナー４としては、ループ状に起毛された面ファスナー、フック状とループ状の両方が起毛された面ファスナーの何れでもよいが、好ましくはループ状に起毛された面ファスナーがよい。
【００１５】
以上のように構成された本実施形態の回転ブラシ１は、次のようにして清掃機に取り付けて使用する。回転ブラシ１を取り付ける清掃機は、不織布研磨材である円盤状パッドを取り付け可能な清掃機である。円盤状のパッドやブラシを水平旋回させて床を清掃するタイプの市販清掃機は、その殆どの機種が円盤状パッドを取り付け可能に構成されている。図４はそのような清掃機６の断面図の例である。モータ７の出力軸８に取り付けプレート９を介してパッド台１０が取り付けてある。
【００１６】
パッド台１０の下面側は不織布研磨材である円盤状パッドを押し付けるだけで簡単に取り付けられるように、その表面には面ファスナーのフック状起毛に類似した針状突起物が形成されている。図５は市販パッド台１２のパッド取り付け面側の例、図６はその表面の部分拡大図である。小さな針状突起物１２が表面全域に形成されている。この針状突起物１２が形成されたパッド台１０の下面に、回転ブラシ１の面ファスナー４が形成された面を押し付けると面ファスナー４の起毛部と針状突起物１２が係合して図７に示すように回転ブラシ１がパッド台１０に貼り付いた状態となる。このように取り付けた状態でモータ７を駆動してパッド台１０を回転させると、回転ブラシ１はパッド台１０と共に回転し、そのブラシ先で床表面を研磨、清掃する。回転に合わせて水を供給すれば床面を洗浄することもできる。
【００１７】
以上説明した本実施形態の回転ブラシ１は、パッド台を取り付けて使用する殆どの市販の清掃機に取り付け可能な利点を有する。また、特別の金属製取り付けプレートを必要としないため安価である上、取り付け、取り外しも簡単にできる利点を有する。
【符号の説明】
【００１８】
図面中、１は回転ブラシ、２はブラシ基板、３はブラシ毛、４は面ファスナー、６は床清掃機、７はモータ、１０はモータ側円盤状回転体（パッド台）、１３は針状突起物を示す。
【図１】
0003210721.tif 000003
【図２】
0003210721.tif 000004
【図３】
0003210721.tif 000005
【図４】
0003210721.tif 000006
【図５】
0003210721.tif 000007
【図６】
0003210721.tif 000008
【図７】
0003210721.tif 000009
【図８】
0003210721.tif 000010
【図９】
0003210721.tif 000011
【図１０】
0003210721.tif 000012